【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
鼻マスクであって、単独で、又は前記鼻マスク上の閉鎖可能な開口を介して前記鼻マスクに取り外し可能に取り付けられた口マスクと共に、用いることができる鼻マスク。
【請求項２】
前記口マスクが前記鼻マスクに係合されたときに、前記閉鎖可能な開口は、前記口マスクと前記鼻マスクの間の両方向においてガスが流れることができるようにする、請求項１に記載の鼻マスク。
【請求項３】
前記口マスクが前記鼻マスクに組み合わされて係合されたときに、その組み合わせが、バッグマスク人工呼吸、全身麻酔、深鎮静又は呼吸療法に用いることができる顔面マスクを創りだす、請求項１又は請求項２に記載の鼻マスク。
【請求項４】
鼻マスクを単独で用いるときに前記閉鎖可能な開口は自動的に閉じ、それによって前記鼻マスクは鼻部陽圧換気（ＢｉＰＡＰ／ＣＰＡＰ）、挿管の間の人工呼吸、全身麻酔、深鎮静、呼吸療法、酸素供給、又は閉塞性睡眠時無呼吸の治療に用いることができる、請求項１乃至３のいずれかに記載の鼻マスク。
【請求項５】
前記閉鎖可能な開口はドアを有しており、かつ前記口マスクは前記鼻マスクのドアに係合したときに前記ドアを押して開放させるコネクタを含んでいる、請求項１乃至４のいずれかに記載の鼻マスク。
【請求項６】
呼吸できるガス、好ましくは酸素、空気、あるいは空気麻酔ガスの供給源に接続するべく適合された鼻マスク本体と、
前記鼻マスク本体に固定されたクッションであり、前記本体と前記クッションとが鼻を受け入れる空洞を形成し、前記クッションが鼻梁領域、頬領域及び上唇領域を含んでいる、クッションと、
患者の鼻を囲むための第１の成型されて内向きに湾曲する縁部を有している、弾性材料から形成された実質的に三角形の形状の第１の鼻部メンブレンと、
弾性材料から形成された第２の鼻部メンブレンであり、前記第２の鼻部メンブレンは前記第１の鼻部メンブレンよりも相対的により可撓性であり、前記第２の鼻部メンブレンは第２の成型されて内向きに湾曲する縁部を有しており、前記第２の成型された縁部は、前記第１の成型された縁部と同じ全体形状であると共に、前記第１の鼻部メンブレンに固定されてそこから間隔をあけて延びて、前記頬領域においては前記第１の成型された縁部の外側表面から第１の距離を間隔をあけて配置された第２の鼻部メンブレンの内側表面をもたらし、かつ前記第２のメンブレンの内側表面は、前記鼻梁領域においては前記第１の成型された縁部の前記第１の鼻部メンブレン外側表面から第２の距離を開けて配置され、前記第２の距離は前記第１の距離より大きく、前記第１及び第２の距離は前記マスクを使用していないときに測定され、前記第２の成型された縁部の一部が顔面接触シールを形成する、第２の鼻部メンブレンと、を備え、
前記シール部は、前記第２の成型された縁部に対し実質的に境を接しており、かつ前記マスクを使用する際に前記第１の鼻部メンブレンに向かって弾性的に変形可能である、鼻マスク、又は鼻マスク／口マスクを組み合わせたフルフェイス型マスク。
【請求項７】
大気圧より低い、等しい、あるいは高い圧力のガスを供給する発生器に接続するための管と、
前記ガスの供給源に連結するための一端部とアダプタに連結するための他端部とを有するガス供給配管であり、呼吸終期二酸化炭素ポート、噴霧器ポート、呼吸終期陽圧（ＰＥＥＰ）弁ポート、呼気ポート及び／又は弁、圧力逃がし弁を含み、鼻マスク、口マスクあるいはフルフェイス型マスクに取り付く開口を有している、ガス供給配管と、を更に備える請求項６に記載のマスク。
【請求項８】
前記マスクは、前記ガスの供給のための発生器に接続可能であり、供給されるガスの量及び濃度は供給源並びに呼気ポートにより制御され、及び／又は前記鼻マスク又は前記口マスクを同時に接続することによって排気装置として用いられ、前記鼻マスクは陽圧を供給するために用いることができ、かつ前記口マスクはガスを適切に貯蔵し及び／又は取り除くために吸引装置に接続できる、請求項６又は請求項７に記載のマスク。
【請求項９】
前記鼻マスクは、前記患者の又は、鼻及び上唇のための輪郭が付けられて、前記マスク及び前記発生器ガス供給源が接続されかつ患者に装着されたときに、前記マスクは前記患者の口／口腔、唇、頬、顎先、顎部及び頸部へのオペレータのアクセスを妨げず、及び／又は酸素吸入器バッグに取り付けられたガス供給源と共にあるいはそれ無しに前記酸素吸入器バッグに接続される、請求項６乃至８のいずれかに記載のマスク。
【請求項１０】
前記鼻マスク本体は、前記マスクの上に配置されたときに、前方アプローチあるいは後方アプローチを用いる一体型ヘッドバンド付着点、又は前方アプローチあるいは後方アプローチを用いる別個のヘッドバンド付着点を含んでおり、
表面に取り付けられたストラップと組み合わされたときに、前記マスクを患者の顔面に固定して密封を確実にすると共に気道の開存性を維持するべく患者の頭部を所望の位置に維持する、請求項６乃至９のいずれかに記載のマスク。
【請求項１１】
（ａ）前記マスク上の前記付着点に固定されるストラップを固定することを更に含む、
（ｂ）前記第２の鼻部メンブレン成型縁部及び前記第１の鼻部メンブレン成型縁部のそれぞれが、着用者の鼻梁を収容するために同じ位置に配置された切欠きを有している、
（ｃ）前記第１及び第２の成型縁部は実質的に鞍形である、
かつ
（ｄ）前記第２の鼻部メンブレンは、前記シール部が、使用の際に、少なくとも着用者の鼻梁に接触するように形作られている、
という特徴のうちの一つあるいは複数によって特徴付けられる、請求項６乃至１０のいずれかに記載のマスク。
【請求項１２】
前記シール部は、使用の際に、着用者の鼻梁の側部と上部の周囲、及び着用者の鼻の基部と着用者の上唇の間の顔面組織に接触する、請求項６乃至１１のいずれかに記載のマスク。
【請求項１３】
前記縁部及び前記シール部は、着用者の鼻梁の側部と上部の周囲及び着用者の鼻の基部と上唇の間の顔面組織の領域において、顔面輪郭に略一致するように形作られている、請求項６乃至１２のいずれかに記載のマスク。
【請求項１４】
患者の顔面に接続するための鼻マスクであって、
呼吸できるガスの供給源に接続するためのマスク本体と、
前記マスク本体に固定される口クッションであり、前記マスク本体と前記口クッションは口を受ける空洞を形成しており、前記口クッションが、口領域、頬領域、及び上下唇領域を含む口クッションと、患者の鼻を囲むための第１の成型されて内向きに湾曲する縁部を有している、弾性材料の実質的に楕円形の第１の口部メンブレンと、同様に弾性材料の第２の口部メンブレンであり、前記第２の口部メンブレンは前記第１の口部メンブレンよりも相対的により可撓性であり、前記第２の口部メンブレンは第２の成型されて内向きに湾曲する縁部を有しており、前記第２の成型された縁部は、前記第１の成型された縁部と同じ全体形状であると共に、前記第１の口部メンブレンに固定されてそこから間隔をあけて延びて、前記頬領域においては前記第１の成型された縁部の外側表面から第１の距離を間隔をあけて配置された第２の口部メンブレンの内側表面を有しており、かつ前記第２の口部メンブレンの内側表面は、前記口領域においては前記第１の成型された縁部の前記第１の口部メンブレンの外側表面から第２の距離を開けて配置され、前記第２の距離は前記第１の距離より大きく、前記第１及び第２の距離は前記マスクを使用していないときに測定され、前記第２の成型された縁部の一部が顔面接触シールを形成している、第２の口部メンブレンと、
を備え、
前記シール部は、前記第２の成型された縁部に対し実質的に境を接しており、かつ前記マスクを使用する際に前記第１の口部メンブレンに向かって弾性的に変形可能である、鼻マスク。